(57)【要約】【課題】光の取り出し効率の向上が可能な照明装置および液晶表示装置を提供することである。【解決手段】照明装置７０は、複数の発光素子部７６と、これらの発光素子部７６に接続された第１配線８６および第２配線８８と、を含んで構成されている。複数の発光素子部７６は分散して配置されている。第１配線８６および第２配線８８は透光性材料で構成され互いに並列に延在するパターンを有している。照明装置７０は、対向配置された反射型または半透過型の液晶パネルとともに液晶表示装置を構成可能である。【選択図】図３
2008077865.tif 000002
【特許請求の範囲】
【請求項１】
複数の発光素子部と、
前記複数の発光素子部に接続された第１配線および第２配線と、
を備え、
前記複数の発光素子部は分散して配置され、前記第１配線および前記第２配線は透光性材料で構成され互いに並列に延在するパターンを有することを特徴とする照明装置。
【請求項２】
請求項１に記載の照明装置であって、
前記第１配線および前記第２配線は同層に配置されていることを特徴とする照明装置。
【請求項３】
請求項１または請求項２に記載の照明装置であって、
前記複数の発光素子部のそれぞれは発光層を有する有機エレクトロルミネッセンス素子で構成され、前記発光層は前記第１配線に対向する一方で前記第２配線に対向しないことを特徴とする照明装置。
【請求項４】
請求項３に記載の照明装置であって、
前記有機エレクトロルミネッセンス素子は前記発光層に接続された陰極をさらに有し、前記陰極は前記第２配線とは異なる材料で構成され前記第２配線へ向けて延在し前記第２配線に接続されていることを特徴とする照明装置。
【請求項５】
請求項４に記載の照明装置であって、
前記陰極は遮光性を有し、前記発光層からの光は前記第１配線を通して出射することを特徴とする照明装置。
【請求項６】
請求項５に記載の照明装置であって、
前記第１配線は前記有機エレクトロルミネッセンス素子の陽極を兼ねることを特徴とする照明装置。
【請求項７】
請求項４に記載の照明装置であって、
前記陰極は透光性を有し、前記発光層からの光は前記陰極を通して出射することを特徴とする照明装置。
【請求項８】
請求項７に記載の照明装置であって、
前記有機エレクトロルミネッセンス素子は前記発光層に対して前記陰極とは反対側に遮光層をさらに有することを特徴とする照明装置。
【請求項９】
請求項１ないし請求項８のいずれか一つに記載の照明装置であって、
前記複数の発光素子部の光出射側に設けられた透光性の基板と、
前記基板に接する透光性層と、
をさらに備え、
前記透光性層は前記基板と略等しい屈折率を有することを特徴とする照明装置。
【請求項１０】
請求項９に記載の照明装置であって、
前記複数の発光素子部を介して前記基板に対向する透光性の対向基板をさらに備え、
前記対向基板は前記透光性層に接し前記透光性層と略等しい屈折率を有することを特徴とする照明装置。
【請求項１１】
請求項１ないし請求項１０のいずれか一つに記載の照明装置と、
前記照明装置に対向して設けられた反射型または半透過型の液晶パネルと、
を備えることを特徴とする液晶表示装置。
【請求項１２】
請求項１１に記載の液晶表示装置であって、
前記第１配線および前記第２配線についての前記パターンは前記液晶パネルの画素ピッチに略等しく構成されていることを特徴とする液晶表示装置。
【発明の詳細な説明】
【技術分野】
【０００１】
本発明は、照明装置および液晶表示装置に係る。
【背景技術】
【０００２】
反射型の液晶表示装置のなかには、外光が不十分な環境下での使用のために、液晶パネルを前面から照らすフロントライト装置を有するものがある。
【０００３】
フロントライト装置として、液晶パネルの横に配置された光源からの光を液晶パネルの前面に配置された導光板を伝達させ導光板に設けられた溝で屈折させて液晶パネルへ導くものがある。このフロントライト装置では、導光板へ導入された光は上記溝で液晶パネル側へ屈折するとともに逆方向すなわち観察者側にも屈折する場合があり、この場合には逆方向へ屈折した光は観察者の目に入り液晶表示装置のコントラストを低下させる可能性がある。
【０００４】
また、フロントライト装置として、有機エレクトロルミネッセンス（ＥＬ）素子を有したものがある（特許文献１，２参照）。このフロントライト装置は液晶パネルの前面に対向配置され、上記有機ＥＬ素子は例えば格子状に発光するように陰極等がパターニングされている。
【０００５】
【特許文献１】特開２００６−１５４４０２号公報
【特許文献２】特開２０００−２６７０９７号公報
【発明の開示】
【発明が解決しようとする課題】
【０００６】
フロントライト装置において発光部分および配線部分は、一般的に液晶パネルで反射した光を遮光するので、フロントライト装置を通して取り出される上記反射光の強度を低下させる。つまり、発光部分は光の取り出し効率を低下させる要因の一つと考えられる。
【０００７】
本発明の目的は、光の取り出し効率の向上が可能な照明装置および液晶表示装置を提供することである。
【課題を解決するための手段】
【０００８】
本発明に係る照明装置は、複数の発光素子部と、前記複数の発光素子部に接続された第１配線および第２配線と、を備え、前記複数の発光素子部は分散して配置され、前記第１配線および前記第２配線は透光性材料で構成され互いに並列に延在するパターンを有することを特徴とする。
【０００９】
また、前記第１配線および前記第２配線は同層に配置されていることが好ましい。
【００１０】
また、前記複数の発光素子部のそれぞれは発光層を有する有機エレクトロルミネッセンス素子で構成され、前記発光層は前記第１配線に対向する一方で前記第２配線に対向しないことが好ましい。
【００１１】
また、前記有機エレクトロルミネッセンス素子は前記発光層に接続された陰極をさらに有し、前記陰極は前記第２配線とは異なる材料で構成され前記第２配線へ向けて延在し前記第２配線に接続されていることが好ましい。
【００１２】
また、前記陰極は遮光性を有し、前記発光層からの光は前記第１配線を通して出射することが好ましい。
【００１３】
また、前記第１配線は前記有機エレクトロルミネッセンス素子の陽極を兼ねることが好ましい。
【００１４】
また、前記陰極は透光性を有し、前記発光層からの光は前記陰極を通して出射することが好ましい。
【００１５】
また、前記有機エレクトロルミネッセンス素子は前記発光層に対して前記陰極とは反対側に遮光層をさらに有することが好ましい。
【００１６】
また、前記複数の発光素子部の光出射側に設けられた透光性の基板と、前記基板に接する透光性層と、をさらに備え、前記透光性層は前記基板と略等しい屈折率を有することが好ましい。
【００１７】
また、前記複数の発光素子部を介して前記基板に対向する透光性の対向基板をさらに備え、前記対向基板は前記透光性層に接し前記透光性層と略等しい屈折率を有することが好ましい。
【００１８】
本発明に係る液晶表示装置は、前記照明装置と、前記照明装置に対向して設けられた反射型または半透過型の液晶パネルと、を備えることを特徴とする。
【００１９】
また、前記第１配線および前記第２配線についての前記パターンは前記液晶パネルの画素ピッチに略等しく構成されていることが好ましい。
【発明の効果】
【００２０】
上記構成により、光の取り出し効率の向上が可能な照明装置および液晶表示装置を提供することができる。
【発明を実施するための最良の形態】
【００２１】
以下に図面を用いて本発明に係る実施の形態について詳細に説明する。
【００２２】
図１に実施の形態に係る液晶表示装置５０を説明するための断面図を示す。液晶表示装置５０は、反射型または半透過型の液晶パネル６０と、当該液晶パネル６０に対向して設けられた照明装置（または照明パネル）７０とを含んで構成されている。照明装置７０は、ここでは液晶パネル６０の観察者側に配置され液晶パネル６０のフロントライト装置として用いられる。液晶パネル６０の詳細な説明は省略するが、各種の反射型または半透過型の液晶パネルを適用することができ、例えば液晶パネル６０は照明装置７０側に不図示の偏光板を含んで構成される場合もある。
【００２３】
図２および図３に照明装置７０を説明するための断面図および平面図を示し、図４に一部拡大平面図を示す。また、図４中の５−５線、６−６線および７−７線における断面図を図５〜図７に示す。なお、図面の煩雑を避けるため要素の図示を一部省略しており、例えば、図５に図示される配線８８を図２では省略し、図１等の断面図に図示される基板７２，７４を図３等の平面図では省略している。
【００２４】
照明装置７０は、対向する１対の透光性基板７２，７４を含んで構成され、当該１対の基板７２，７４間に、複数の発光素子部７６と、第１配線（または第１配線層）８６と、第２配線（または第２配線層）８８と、透光性層９０と、シール９６と、を含んで構成されている。なお、図面の煩雑を避けるため図３では発光素子部７６を破線で模式的に図示し個数を減らして図示している。
【００２５】
照明装置７０では、発光素子部７６での発光Ｌ（図２参照）は、当該発光素子部７６が配置された透光性基板７４を通して、液晶パネル６０へ照射される（いわゆるボトム・エミッション（bottom  emission）型）。
【００２６】
照明装置７０では、複数の発光素子部７６が分散して配置されており（ここではマトリクス状に散在した場合を例示する）、これらの発光素子部７６へ配線８６，８８を介して電力が供給される。各発光素子部７６は、液晶パネル６０の画素６２（図１では３つの画素６２を模式的に例示している）よりも小さく、このため照明装置７０の全体に比較してドット状に構成されている。
【００２７】
ここでは各発光素子部７６が有機エレクトロルミネッセンス（ＥＬ）素子で構成される場合を例示し、以下、発光素子部７６を有機ＥＬ素子７６とも呼ぶことにする。各有機ＥＬ素子７６は、発光層８０と、陰極（またはカソード）８２と、を含んで構成されている。
【００２８】
透光性基板７２，７４は、例えば透明なガラス板で構成されている。ここでは、基板７２が観察者の側に位置し、基板７４は有機ＥＬ素子７６等を介して基板７２に対向し液晶パネル６０の側に位置しているものとする。
【００２９】
第１配線８６は、透光性を有し、例えばＩＴＯ（Indium  Tin  Oxide）やＩＺＯ（Indium  Zinc  Oxide）等の透明導電材料で構成されている。第１配線８６は、透光性基板７４上に配置されている（図５等参照）。ここでは、第１配線８６が、１本の幹部８６ａと、当該幹部８６ａから同じ側へ分岐し平行に延在する複数の枝部８６ｂと、を含んだパターンを有する場合を例示する（図３参照）。
【００３０】
発光層８０は、第１配線８６を介して基板７４に対向し第１配線８６のいずれかの枝部８６ｂ上に積層されている（図５等参照）。１本の枝部８６ｂには発光層８０が複数設けられている（図３等参照）。なお、発光層８０は第２配線８８には対向していない。発光層８０は、例えば正孔輸送層と有機発光層と電子輸送層とが積層された構成を有する。
【００３１】
陰極８２は、発光層８０を介して第１配線８６に対向し発光層８０上に積層されている（図５等参照）。陰極８２は、例えばアルミニウム（Ａｌ）で構成され、マグネシウム−銀合金（Ｍｇ−Ａｇ合金）、リチウム−アルミニウム合金（Ｌｉ−Ａｌ合金）、マグネシウム−インジウム合金（Ｍｇ−Ｉｎ合金）、金（Ａｕ）、銀（Ａｇ）等で構成することも可能である。なお、陰極８２は配線８６，８８とは異なる材料で構成されている。陰極８２は遮光層としても機能し発光Ｌが透光性基板７２側すなわち観察者の側へ出射されるのを防止する。また、陰極８２は発光Ｌに対する反射率が高い材料で構成されるのがより好ましく、その場合には第１配線８６を通して液晶パネル６０側へ出射する光の強度（または光量）を相対的に大きくすることができる。
【００３２】
なお、有機ＥＬ素子７６の陽極は第１配線８６が兼ねる。
【００３３】
透光性基板７４上には、透光性層９０の一部を構成する絶縁層９２が配置されている（図２、図５等参照）。絶縁層９２は第１配線８６を覆って基板７４上に配置され当該基板７４に接している。なお、図４等には絶縁層９２が複数の部分にパターニングされ各部分が発光エリア８０ａを除いた状態で発光層８０等を取り囲むとともに隣接する当該部分同士は接していない場合を例示し、図２には絶縁層９２が、隣接する発光層８０等の間を埋めるように発光層８０等を取り囲む場合を例示している。また、（ｉ）発光エリア８０ａと（ｉｉ）陰極８２と第２配線８８との接触部位と（ｉｉｉ）端子部とを除いた、全面を覆って絶縁層９２を設けてもよい。絶縁層９２は、透光性基板７２，７４と略等しい屈折率（約１．５）を有する材料、例えば酸化シリコンで構成されている。
【００３４】
第２配線８８は、透光性を有し、例えばＩＴＯ、ＩＺＯ等の透明導電材料で構成されている。なお、第２配線８８は、第１配線８６と同じ材料で構成してもよいし、異なる材料で構成してもよい。第２配線８８は、基板７４上に配置されている（図５等参照）。ここでは、第２配線８８が、１本の幹部８８ａと、当該幹部８８ａから同じ側へ分岐し平行に延在する複数の枝部８８ｂと、を含んだパターンを有する場合を例示する（図３等参照）。第２配線８８の枝部８８ｂは、平面視において（図３等参照）、第１配線８６の枝部８６ｂと並列に延在している。ここでは枝部８６ｂ，８８ｂが交互に並んでいる場合を例示している。第２配線８８の枝部８８ｂは発光層８０の付近を通って延在している。枝部８６ｂ，８８ｂ間には絶縁層９２が介在している（図７等参照）。
【００３５】
第２配線８８は陰極８２に接続されている。具体的には、陰極８２は、発光層８０に対向するとともに絶縁層９２上を第２配線８８の枝部８８ｂへ向けて延在し、当該枝部８８ｂに接触している。
【００３６】
これにより、第２配線８８に電源のカソードが接続され第１配線８６に電源のアノードが接続されることによって、有機ＥＬ素子７６に電力が供給される（図３参照）。
【００３７】
透光性層９０は、上記の絶縁層９２とともに、絶縁層９４を含んで構成されている（図２参照）。絶縁層９４は、有機ＥＬ素子７６と配線８６，８８と絶縁層９２とに接して設けられ基板７２，７４間に充填されている。絶縁層９４は少なくとも基板７２に接しており、図４等に例示するように絶縁層９２が複数の部分にパターニングされている場合には絶縁層９４は基板７４にも接している。絶縁層９２が、隣接する発光層８０等の間を埋めている場合には、絶縁層９４は基板７４には接しないように設けることも可能である。絶縁層９４は、透光性基板７２，７４と略等しい屈折率（約１．５）を有する材料、例えばエポキシ系等の各種樹脂で構成されている。つまり、透光性層９０の全体としても透光性基板７２，７４に接し当該基板７２，７４と略等しい屈折率を有している。透光性層９０は各有機ＥＬ素子７６を取り囲んでいる。
【００３８】
シール９６は、基板７２，７４の周縁に沿って配置され、両基板７２，７４を接着して互いに固定している。
【００３９】
ここで、配線８６，８８の枝部８６ｂ，８８ｂの配列方向において、有機ＥＬ素子７６のピッチ７６ｘは、枝部８６ｂ，８８ｂのピッチ８６ｘ，８８ｘに略等しく、また、画素６２のピッチ６２ｘに略等しい（図１および図３参照）。また、枝部８６ｂ，８８ｂの延在方向において、有機ＥＬ素子７６のピッチ７６ｙ（図３参照）は、画素６２のピッチに略等しい。有機ＥＬ素子７６のピッチ７６ｘ，７６ｙは、画素６２のピッチのｎ倍または１／ｎでもよい。なお、有機ＥＬ素子７６は画素６２中のいずれの箇所に対向していてもよい。
【００４０】
照明装置７０は例えば次のようにして製造される。まず、基板７４上に第１配線８６と第２配線８８とをパターン形成する。なお、両配線８６，８８を同じ材料で構成する場合には、基板７４上に形成した単一の透光性導電膜をパターニングすることによって配線８６，８８を同時に形成可能である。その後、絶縁層９２を形成する。次に、発光層８０と陰極８２とをパターン形成する。なお、各要素の成膜およびパターニングは例えば公知の各種方法によって可能である。次に、基板７４の周縁にシール９６を塗布する。そして、基板７４上に絶縁層９４を構成する例えばエポキシ系の接着剤を滴下しシール９６で囲まれた領域内に満たす。その後、基板７２を重ねて上記接着剤およびシール９６を硬化する。なお、接着剤の滴下前にシール９６を仮硬化してもよいし、基板７２を重ねる前に絶縁層９４を仮硬化させてもよい。
【００４１】
照明装置７０は透光性基板７４を液晶パネル６０の側に向けて配置される（図１参照）。この配置状態において、有機ＥＬ素子７６での発光Ｌは、第１配線８６と透光性基板７４とを通過して液晶パネル６０へ導入され、液晶パネル６０で反射され、透光性基板７４と透光性層９０と透光性基板７２とを通過して観察者へ到達する。
【００４２】
上記構成によれば、有機ＥＬ素子７６が点在しているので、例えば格子状に延在する場合に比べて開口率を高くすることができる。また、透光性の配線８６，８８によっても開口率を向上することができる。
【００４３】
また、配線８６，８８はパターニングされているので、当該パターンにおける隙間の部分では配線８６，８８と透光性基板７２等との屈折率の相違等による干渉が低減可能であり、当該干渉による光学的ロスを抑制することができる。また、配線８６，８８のパターンの上記隙間部分を介して透光性層９０が透光性基板７４に接しており当該透光性層９０の屈折率は透光性基板７４の屈折率と略等しいので、透光性層９０と透光性基板７４とによる干渉すなわち光学的ロスを抑制することができる。また、透光性層９０は透光性基板７２にも接しており、透光性層９０と透光性基板７２とによる光学的ロスを抑制することができる。
【００４４】
したがって、照明装置７０によれば、開口率の増大と光学的ロスの低減とによって光の取り出し効率が向上する。ここで、光の取り出し効率とは例えば、発光素子部での発光強度に対して、最終的に観察者に到達する上記発光の強度の比率で定義可能である。
【００４５】
また、両配線８６，８８は基板７４上すなわち同層（同じレイヤー）に配置されているので、上記のように単一の透光性導電膜をパターニングすることによって形成可能である。この場合、両配線８６，８８を同時に形成可能であるので、製造工程数が少なくて済む。また、同時パターニングによれば、配線８６，８８のアライメントずれが生じることがない。
【００４６】
また、格子状の有機ＥＬ素子は例えば陰極のみを格子状にパターニングし発光層をパターニングせずに構成する場合がある。この場合、陰極の端部も自発光し、その結果、光漏れを生じる可能性がある。これに対して、有機ＥＬ素子７６はパターニングされ、発光部は完全に遮光層を兼ねる陰極８２に覆われていることから、光漏れを防止することができる。
【００４７】
また、上記のように配線８６，８８におけるパターンのピッチおよび有機ＥＬ素子７６のピッチは画素６２のピッチに略等しいので、モアレを抑制することができる。
【００４８】
上記ではボトム・エミッション型の照明装置７０を説明したが、次にトップ・エミッション（top  emission）型の照明装置７０Ｂを図８の断面図を参照しつつ説明する。照明装置７０Ｂは上記の照明装置７０に代えて液晶表示装置５０（図１参照）を構成可能である。なお、図８は図５に対応させて図示しているが、照明装置７０Ｂは図８において上方に図示された基板７４を液晶パネル６０の側に向けて配置される。
【００４９】
照明装置７０Ｂでは、観察者側の透光性基板７２上に、発光素子部７６と、第１配線８６と、第２配線８８と、絶縁層９０と、が配置されている。これらの要素７６，８６，８８，９０は、配置される基板の相違を除いては、基本的に上記の照明装置７０の場合と同様に構成されている。照明装置７０Ｂでは、発光素子部７６での発光Ｌは当該発光素子部７６が配置された基板７２に対向する透光性基板７４を通して液晶パネル６０へ出射する（いわゆるトップ・エミッション型）。
【００５０】
ここでは各発光素子部７６が有機ＥＬ素子で構成される場合を例示する。照明装置７０Ｂでは、有機ＥＬ素子７６は、上記の発光層８０および陰極８２に加えて、陽極（またはアノード）７８と、遮光層８４と、を含んで構成されている。遮光層８４と陽極７８と発光層８０と陰極８２とはこの順序で第１配線８６の枝部８６ｂ上に積層されている。発光層８０は、上記の照明装置７０と同様に構成可能である。または、発光エリア８０ａのみ第１配線８６の下層に遮光層８４が構成されている。
【００５１】
陽極７８は、発光層８０に接続されている。陽極７８は、例えばＩＴＯで構成されている。
【００５２】
陰極８２は、照明装置７０Ｂでは、発光層８０を介して陽極７８に対向し発光層８０に接続されている。陰極８２は、例えばマグネシウム−銀合金で構成され、リチウム−アルミニウム合金、マグネシウム−インジウム合金、アルミニウム、金、銀等で構成することも可能である。陰極８２は発光層８０での発光Ｌを陰極８２を通して取り出して透光性基板７４側すなわち液晶パネル６０の側へ出射させるために透光性を有している。上記に例示した陰極材料についても例えば膜厚によって透過率を調整可能であり透光性膜を構成することは可能である（いわゆる半透過膜）。
【００５３】
遮光層８４は、発光層８０に対して陰極８２とは反対側に配置されており、発光層８０での発光Ｌ（図２参照）が透光性基板７２側すなわち観察者の側へ出射されるのを防止する。遮光層８４は、例えばアルミニウム（Ａｌ）、クロム（Ｃｒ）、ニッケル（Ｎｉ）、Ｍｏ（モリブデン）、金（Ａｕ）、銀（Ａｇ）、酸化クロム等の金属材料で構成されている。遮光層８４は発光Ｌに対する反射率が高い材料で構成されるのがより好ましく、その場合には、上記の遮光機能だけでなく、発光Ｌを反射して透光性基板７４側すなわち液晶パネル６０側へ出射する光の強度を大きくすることができる。上記に例示した材料によれば遮光機能と反射機能との両方を実現可能である。遮光層８４は、導電性を有しており、陽極７８と第１配線８６の枝部８６ｂとを接続している。つまり、遮光層８４は陽極７８と第１配線８６との間の電力供給経路の一部を形成している。上記に例示した材料によれば導電性の遮光層８４を構成可能である。
【００５４】
なお、図９の断面図に示す照明装置７０Ｃのように、第１配線８６上に発光層８０を積層して第１配線８６に陽極を兼ねさせ（これにより上記の陽極７８を省略できる）、第１配線８６と基板７２との間に発光層８０に対向させて遮光層８４を設けてもよい。この場合は導電性を持つ金属材料に限らず黒色系の高分子材料をはじめとした樹脂材料で遮光層８４を構成することが可能である。
【００５５】
照明装置７０Ｂ，７０Ｃのその他の構成は上記の照明装置７０と同様である。
【００５６】
照明装置７０Ｂ，７０Ｃによれば、照明装置７０と同様の効果が得られる。なお、上記の照明装置７０では陰極８２が遮光層を兼ね第１配線８６が陽極を兼ねるので、照明装置７０Ｂよりも製造工程数が少なくて済む。
【００５７】
なお、有機ＥＬ素子７６の構造は上記例示に限られるものではない。また、発光素子部７６を、有機ＥＬ素子に代えて、無機ＥＬや発光ダイオード（ＬＥＤ）等の他の発光素子で構成することも可能である。また、配線８６，８８の形状は、直線状でなくてもよく、例えば蛇行していてもよい。また、発光素子部７６を例えばデルタ配列させることも可能である。また、上記各種要素の個数、例えば発光素子部７６、枝部８６ｂ，８８ｂ、透光性層９０を構成する層等の個数は上記例示に限られるものではない。
【００５８】
また、図１では液晶パネル６０と照明装置７０とが直に接触している場合を例示しているが、両者６０，７０を離して配置してもよいし、両者６０，７０を接着剤で接着してもよい。また、液晶パネル６０側の透光性基板７４として、液晶パネル６０の透光性基板（図示せず）を利用することも可能である。
【００５９】
また、上記では照明装置７０，７０Ｂ，７０Ｃが液晶パネル６０とともに液晶表示装置５０を構成する場合を例示したが、液晶パネル６０は照明装置７０，７０Ｂ，７０Ｃによって照らされる被照射体の一例にすぎない。すなわち、照明装置７０，７０Ｂ，７０Ｃは例えば書類等の上に載せることによって当該書類等を照らす場合にも利用可能である。
【図面の簡単な説明】
【００６０】
【図１】本発明の実施の形態に係る液晶表示装置を説明するための断面図である。
【図２】本発明の実施の形態に係る照明装置を説明するための断面図である。
【図３】本発明の実施の形態に係る照明装置を説明するための平面図である。
【図４】本発明の実施の形態に係る照明装置を説明するための一部拡大平面図である。
【図５】図４中の５−５線における断面図である。
【図６】図４中の６−６線における断面図である。
【図７】図４中の７−７線における断面図である。
【図８】本発明の実施の形態に係る第２の照明装置を説明するための断面図である。
【図９】本発明の実施の形態に係る第３の照明装置を説明するための断面図である。
【符号の説明】
【００６１】
５０  液晶表示装置、６０  液晶パネル、６２  画素、６２ｘ，７６ｘ，７６ｙ，８６ｘ，８８ｘ  ピッチ、７０，７０Ｂ，７０Ｃ  照明装置、７２，７４  透光性基板、７６  発光素子部、７８  陽極、８０  発光層、８２  陰極、８４  遮光層、８６  第１配線、８８  第２配線、９０  透光性層、Ｌ  発光。
【図１】
2008077865.tif 000003
【図２】
2008077865.tif 000004
【図３】
2008077865.tif 000005
【図４】
2008077865.tif 000006
【図５】
2008077865.tif 000007
【図６】
2008077865.tif 000008
【図７】
2008077865.tif 000009
【図８】
2008077865.tif 000010
【図９】
2008077865.tif 000011